(57)【要約】【課題】印刷物が回収される前に省電力モードへ移行した場合であっても、印刷ジョブの終了時から印刷物未回収の報知時までの間に所定時間を超える間隔を設けることが可能な画像形成装置、及び報知方法を提供すること。【解決手段】画像形成装置１００は、動作モードが通常モードから省電力モードへ移行する場合に、印刷ジョブの終了時から当該印刷ジョブに基づく印刷物の回収時までの経過時間を計測する制御部５への給電停止前にその経過時間の計測を停止させる停止処理部５５と、動作モードが省電力モードから通常モードへ移行する場合において排紙部に印刷物が存在する場合に、制御部５による経過時間の計測を再開させる再開処理部５６と、制御部５による計測時間が第１基準時間に達した場合に、印刷物未回収を報知する報知処理部５４と、を備える。【選択図】図３
2019188724.tif 000002
【特許請求の範囲】
【請求項１】
外部から送信される印刷ジョブの終了時から当該印刷ジョブに基づく印刷物が排紙部から回収されるまでの経過時間を計測可能であって、自装置の動作モードが通常モードよりも消費電力が低減される省電力モードである場合に給電が停止される制御部と、
前記動作モードが前記通常モードから前記省電力モードへ移行する場合に、前記制御部への給電が停止される前に前記制御部による前記経過時間の計測を停止させる停止処理部と、
前記動作モードが前記省電力モードから前記通常モードへ移行する場合において前記排紙部に前記印刷物が存在する場合に、前記制御部による前記経過時間の計測を再開させる再開処理部と、
前記制御部による計測時間が予め定められた第１基準時間に達した場合に、前記印刷ジョブの送信元に対応する通知先に前記印刷物が未回収である旨を報知する報知処理部と、
を備える画像形成装置。
【請求項２】
前記停止処理部による前記経過時間の計測の停止時から前記再開処理部による前記経過時間の計測の再開時までの停止時間を取得する取得処理部を備え、
前記報知処理部は、前記停止時間が予め定められた第２基準時間を超過する場合に、前記通知先に前記印刷物が未回収である旨を報知する、
請求項１に記載の画像形成装置。
【請求項３】
前記排紙部における前記印刷物の有無を検出可能な検出部と、
前記検出部によって前記排紙部に前記印刷物が存在する存在状態から前記排紙部に前記印刷物が存在しない不存在状態への切り替わりが検出された場合に、前記不存在状態の継続時間に基づいて前記印刷物が回収されたか否かを判断する判断処理部と、を備え、
前記経過時間は、前記印刷ジョブの終了時から前記判断処理部によって前記印刷物が回収されたと判断されるまでの時間である、
請求項１又は２に記載の画像形成装置。
【請求項４】
前記制御部は、前記印刷ジョブごとに前記経過時間を計測し、
前記画像形成装置は、前記判断処理部によって前記印刷物が回収されていないと判断された場合において、前記経過時間が計測されている前記印刷ジョブが複数存在する場合に、当該複数の前記印刷ジョブのいずれか一つ又は複数の選択に用いられる選択画面を表示部に表示させる表示処理部を備え、
前記制御部は、前記選択画面で選択された前記印刷ジョブについて前記経過時間の計測を終了する、
請求項３に記載の画像形成装置。
【請求項５】
複数の前記排紙部と、
複数の前記排紙部に対応する複数の前記検出部と、を備え、
前記判断処理部は、前記印刷物が排出された前記排紙部に対応する前記検出部によって前記存在状態から前記不存在状態への切り替わりが検出された場合に、当該排紙部における前記不存在状態の継続時間及び前記印刷物が存在しない他の前記排紙部における前記不存在状態から前記存在状態への切り替わりの有無に基づいて前記印刷物が回収されたか否かを判断する、
請求項３又は４に記載の画像形成装置。
【請求項６】
外部から送信される印刷ジョブの終了時から当該印刷ジョブに基づく印刷物が排紙部から回収されるまでの経過時間を計測可能であって、自装置の動作モードが通常モードよりも消費電力が低減される省電力モードである場合に給電が停止される制御部を備える画像形成装置で実行される報知方法であって、
前記動作モードが前記通常モードから前記省電力モードへ移行する場合に、前記制御部への給電が停止される前に前記制御部による前記経過時間の計測を停止させることと、
前記動作モードが前記省電力モードから前記通常モードへ移行する場合において前記排紙部に前記印刷物が存在する場合に、前記制御部による前記経過時間の計測を再開させることと、
前記制御部による計測時間が予め定められた第１基準時間に達した場合に、前記印刷ジョブの送信元に対応する通知先に前記印刷物が未回収である旨を報知することと、
を含む報知方法。
【発明の詳細な説明】
【技術分野】
【０００１】
本発明は、外部から送信される印刷ジョブを実行可能な画像形成装置、及び画像形成装置で実行される報知方法に関する。
【背景技術】
【０００２】
外部の情報処理装置から送信される印刷ジョブを実行可能な複合機のような画像形成装置が知られている。この種の画像形成装置では、出力された印刷物の未回収が報知されることがある（例えば、特許文献１参照）。例えば、この種の画像形成装置では、前記印刷ジョブに基づく印刷物の未回収状態が予め定められた時間を超えて継続した場合に、当該印刷ジョブの送信元に印刷物が未回収である旨が報知される。
【０００３】
また、動作モードを通常モードと前記通常モードよりも消費電力が低減される省電力モードとの間で移行可能な画像形成装置が知られている。具体的に、前記省電力モードでは、画像形成装置の構成要素の一部に対する給電が停止される。
【先行技術文献】
【特許文献】
【０００４】
【特許文献１】特開２０１３−５４２０９号公報
【発明の概要】
【発明が解決しようとする課題】
【０００５】
ところで、前記省電力モード時における給電停止対象に印刷物の未回収状態の継続時間を計測する制御部が含まれる場合には、印刷物が回収される前に前記省電力モードへ移行した場合に、印刷物の未回収状態の継続時間を計測することができなくなる。これに対し、印刷物が回収される前に前記省電力モードへ移行した場合に、その後の前記通常モードへの移行時に印刷物の未回収を報知する構成が考えられる。
【０００６】
しかしながら、前記通常モードへの移行直後に印刷物の未回収が報知される場合には、前記印刷ジョブの終了時から前記省電力モードへの移行時までの期間と前記省電力モード中の期間との合計期間が短い場合に、当該報知のタイミングが早くなりすぎることがある。印刷物未回収の報知タイミングが早くなりすぎると、ユーザーはその報知を煩わしいと感じることがある。
【０００７】
本発明の目的は、印刷物が回収される前に省電力モードへ移行した場合であっても、印刷ジョブの終了時から印刷物未回収の報知時までの間に所定時間を超える間隔を設けることが可能な画像形成装置、及び報知方法を提供することにある。
【課題を解決するための手段】
【０００８】
本発明の一の局面に係る画像形成装置は、制御部と、停止処理部と、再開処理部と、報知処理部とを備える。前記制御部は、外部から送信される印刷ジョブの終了時から当該印刷ジョブに基づく印刷物が排紙部から回収されるまでの経過時間を計測可能であって、自装置の動作モードが通常モードよりも消費電力が低減される省電力モードである場合に給電が停止される。前記停止処理部は、前記動作モードが前記通常モードから前記省電力モードへ移行する場合に、前記制御部への給電が停止される前に前記制御部による前記経過時間の計測を停止させる。前記再開処理部は、前記動作モードが前記省電力モードから前記通常モードへ移行する場合において前記排紙部に前記印刷物が存在する場合に、前記制御部による前記経過時間の計測を再開させる。前記報知処理部は、前記制御部による計測時間が予め定められた第１基準時間に達した場合に、前記印刷ジョブの送信元に対応する通知先に前記印刷物が未回収である旨を報知する。
【０００９】
本発明の他の局面に係る報知方法は、外部から送信される印刷ジョブの終了時から当該印刷ジョブに基づく印刷物が排紙部から回収されるまでの経過時間を計測可能であって、自装置の動作モードが通常モードよりも消費電力が低減される省電力モードである場合に給電が停止される制御部を備える画像形成装置で実行され、前記動作モードが前記通常モードから前記省電力モードへ移行する場合に、前記制御部への給電が停止される前に前記制御部による前記経過時間の計測を停止させることと、前記動作モードが前記省電力モードから前記通常モードへ移行する場合において前記排紙部に前記印刷物が存在する場合に、前記制御部による前記経過時間の計測を再開させることと、前記制御部による計測時間が予め定められた第１基準時間に達した場合に、前記印刷ジョブの送信元に対応する通知先に前記印刷物が未回収である旨を報知することと、を含む。
【発明の効果】
【００１０】
本発明によれば、印刷物が回収される前に省電力モードへ移行した場合であっても、印刷ジョブの終了時から印刷物未回収の報知時までの間に所定時間を超える間隔を設けることが可能な画像形成装置、及び報知方法が実現される。
【図面の簡単な説明】
【００１１】
【図１】図１は、本発明の実施形態に係る画像形成装置の外観構成を示す図である。
【図２】図２は、本発明の実施形態に係る画像形成装置の内部構成を示す図である。
【図３】図３は、本発明の実施形態に係る画像形成装置のシステム構成を示すブロック図である。
【図４】図４は、本発明の実施形態に係る画像形成装置で実行される第１報知制御処理の一例を示すフローチャートである。
【図５】図５は、本発明の実施形態に係る画像形成装置で実行される回収判定処理の一例を示すフローチャートである。
【図６】図６は、本発明の実施形態に係る画像形成装置で実行される第２報知制御処理の一例を示すフローチャートである。
【図７】図７は、本発明の実施形態に係る画像形成装置で表示される選択画面の一例を示す図である。
【発明を実施するための形態】
【００１２】
以下、添付図面を参照しながら、本発明の実施形態について説明する。なお、以下の実施形態は、本発明を具体化した一例であって、本発明の技術的範囲を限定するものではない。
【００１３】
［画像形成装置１００の概略構成］
まず、図１〜図３を参照しつつ、本発明の実施形態に係る画像形成装置１００の概略構成について説明する。ここで、図１は画像形成装置１００の外観構成を示す正面図である。また、図２は画像形成装置１００の内部構成を示す断面図である。なお、図２では、シート排出装置８が取り外された状態の画像形成装置１００が示されている。また、図３では、画像形成装置１００の内外を区別するために二点鎖線が用いられている。
【００１４】
画像形成装置１００は、原稿から画像データを読み取るスキャン機能、及び画像データに基づいて画像を形成するプリント機能と共に、ファクシミリ機能、及びコピー機能などの複数の機能を有する複合機である。なお、本発明は、プリンター装置、ファクシミリ装置、及びコピー機などの画像形成装置に適用可能である。
【００１５】
図１〜図３に示されるように、画像形成装置１００は、ＡＤＦ（自動原稿搬送装置）１、画像読取部２、画像形成部３、給紙部４、制御部５、操作表示部６、記憶部７、シート排出装置８、通信部９、人感センサー１０、及び給電部１１を備える。
【００１６】
ＡＤＦ１は、原稿セット部、複数の搬送ローラー、原稿押さえ、及び排紙部を備える。ＡＤＦ１は、前記原稿セット部に載置された原稿を前記排紙部へ搬送する。
【００１７】
画像読取部２は、原稿台、光源、複数のミラー、光学レンズ、及びＣＣＤを備える。画像読取部２は、前記原稿台に載置された原稿の画像データを読み取ることが可能である。また、画像読取部２は、ＡＤＦ１によって搬送される原稿から画像データを読み取ることが可能である。
【００１８】
画像形成部３は、画像読取部２で読み取られた画像データに基づいて、電子写真方式で画像を形成することが可能である。また、画像形成部３は、パーソナルコンピューターなどの外部の情報処理装置２００（図３参照）から通信ネットワーク２０１（図３参照）を経由して入力された画像データに基づいて画像を形成することも可能である。具体的に、画像形成部３は、感光体ドラム、帯電ローラー、光走査装置（ＬＳＵ）、現像装置、転写ローラー、クリーニング装置、定着ローラー、加圧ローラー、及び排紙トレイを備える。なお、画像形成部３は、インクジェット方式などの他の画像形成方式で画像を形成可能であってもよい。
【００１９】
給紙部４は、給紙カセット、シート搬送路、及び複数の搬送ローラーを備える。給紙部４は、画像形成部３にシートを供給する。画像形成部３は、給紙部４から供給されるシートに、画像データに基づく画像を形成する。画像形成装置１００では、画像形成部３による画像形成後のシートは、前記排紙トレイに替えて、シート排出装置８に搬送される。
【００２０】
図３に示されるように、制御部５は、ＣＰＵ５Ａ、ＲＯＭ５Ｂ、及びＲＡＭ５Ｃなどの制御機器を備える。ＣＰＵ５Ａは、各種の演算処理を実行するプロセッサーである。ＲＯＭ５Ｂは、ＣＰＵ５Ａに各種の処理を実行させるための制御プログラムなどの情報が予め記憶される不揮発性の記憶装置である。ＲＡＭ５Ｃは、ＣＰＵ５Ａが実行する各種の処理の一時記憶メモリー（作業領域）として使用される揮発性の記憶装置である。制御部５では、ＣＰＵ５ＡによりＲＯＭ５Ｂに予め記憶された各種の制御プログラムが実行される。これにより、画像形成装置１００が制御部５により統括的に制御される。なお、制御部５は、集積回路（ＡＳＩＣ）などの電子回路で構成されたものであってもよく、画像形成装置１００を統括的に制御するメイン制御部とは別に設けられた制御部であってもよい。
【００２１】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００２２】
記憶部７は、不揮発性の記憶装置である。例えば、記憶部７は、フラッシュメモリー及びＥＥＰＲＯＭ（登録商標）などの不揮発性メモリ、ＳＳＤ（ソリッドステートドライブ）、又はＨＤＤ（ハードディスクドライブ）などの記憶装置である。
【００２３】
シート排出装置８は、複数のシート排出トレイ８１、及びシート排出トレイ８１の数と同数の検出部８２を備える。図１に示されるように、複数のシート排出トレイ８１は、鉛直方向に並設されている。検出部８２は、シート排出トレイ８１各々に対応して設けられている。シート排出装置８は、画像形成装置１００の制御部５からの制御指示に従って、画像形成後のシートを複数のシート排出トレイ８１のうち予め設定されるシート排出トレイ８１に排出することが可能である。検出部８２は、当該検出部８２に対応するシート排出トレイ８１におけるシートの有無を検出可能な光センサーなどのセンサーである。ここに、シート排出トレイ８１が、本発明における排紙部の一例である。
【００２４】
通信部９は、外部の情報処理装置２００（図３参照）との間で通信ネットワーク２０１（図３参照）を介して有線又は無線によるデータ通信を実行する通信インターフェイスである。
【００２５】
人感センサー１０は、画像形成装置１００の筐体の正面側における人の存否を検出可能である。例えば、人感センサー１０は、人体から発せられる赤外線の検出の有無に基づいて、予め定められた検出範囲における人の存否を検出する焦電型の赤外線センサーである。
【００２６】
給電部１１は、外部電源から供給される電力を画像形成装置１００の各部に供給する。例えば、給電部１１は、前記外部電源から供給される１００Ｖの交流電圧を所定の電圧の直流電圧に変換するＡＣ−ＤＣコンバーターである。
【００２７】
また、制御部５は、図３に示されるように、第１移行処理部５１、印刷処理部５２、計測処理部５３、及び報知処理部５４を含む。具体的に、制御部５のＲＯＭ５Ｂには、ＣＰＵ５Ａに後述の第１報知制御処理（図４のフローチャート参照）、及び第２報知制御処理（図６のフローチャート参照）を実行させるための報知制御プログラムが予め記憶されている。制御部５のＣＰＵ５Ａは、ＲＯＭ５Ｂに記憶された前記報知制御プログラムを実行する。これにより、制御部５は、第１移行処理部５１、印刷処理部５２、計測処理部５３、及び報知処理部５４として機能する。なお、前記報知制御プログラムは、ＣＤ、ＤＶＤ、フラッシュメモリーなどのコンピューター読み取り可能な記録媒体に記録されており、前記記録媒体から記憶部７などの記憶装置にインストールされてもよい。
【００２８】
第１移行処理部５１は、予め定められた第１移行条件を充足する場合に、画像形成装置１００の動作モードを通常モードから前記通常モードよりも消費電力が低減される省電力モードへ移行させる。
【００２９】
ここで、前記第１移行条件には、操作表示部６に対する無操作状態が予め定められた時間継続したことが含まれる。また、前記第１移行条件には、操作表示部６においてユーザーにより動作モードの変更操作が行われたことが含まれる。また、前記第１移行条件には、操作表示部６又は画像形成装置１００の筐体の側面等に設けられた電源キーが操作されたことが含まれる。また、前記第１移行条件には、人感センサー１０による検出状態が人の存在を検出している検出状態から人の存在を検出していない非検出状態に切り替わったことが含まれる。なお、前記第１移行条件は、以上に挙げた複数の条件の一部を含むものであってもよく、以上に挙げた条件以外の条件を含むものであってもよい。
【００３０】
具体的に、第１移行処理部５１は、前記第１移行条件を充足する場合に、画像形成装置１００の構成要素のうち予め定められた給電停止対象について、給電部１１による給電を停止させる。例えば、第１移行処理部５１は、給電部１１に制御信号を入力して、前記給電停止対象への給電を停止させる。
【００３１】
ここで、前記給電停止対象には、画像読取部２及び画像形成部３などと共に、制御部５が含まれる。即ち、画像形成装置１００では、前記動作モードが前記省電力モードである場合に、制御部５への給電が停止される。また、前記給電停止対象には、通信部９及び人感センサー１０は含まれていない。即ち、画像形成装置１００では、前記動作モードが前記省電力モードであっても、通信部９及び人感センサー１０への給電は継続される。
【００３２】
印刷処理部５２は、画像形成部３、給紙部４、及びシート排出装置８を用いて、画像データに基づいて画像を形成する印刷ジョブを実行する。具体的に、印刷処理部５２は、外部の情報処理装置２００から前記印刷ジョブが送信された場合に、当該印刷ジョブを実行する。また、印刷処理部５２は、複数のシート排出トレイ８１のうち、前記印刷ジョブに含まれる情報によって排紙先として定められたいずれかのシート排出トレイ８１に前記印刷物を排出させる。
【００３３】
計測処理部５３は、印刷処理部５２によって実行される前記印刷ジョブの終了時から当該印刷ジョブに基づく印刷物がシート排出トレイ８１から回収されるまでの経過時間を計測する。計測処理部５３は、印刷処理部５２によって実行される前記印刷ジョブごとに、前記経過時間を計測する。
【００３４】
報知処理部５４は、計測処理部５３による計測時間が予め定められた第１基準時間に達した場合に、前記印刷ジョブの送信元に対応する通知先に前記印刷物が未回収である旨を報知する。
【００３５】
ここで、前記第１基準時間は、情報処理装置２００のユーザーが前記印刷物の回収を忘れているか否かの判断に用いられる時間である。即ち、画像形成装置１００は、計測処理部５３による計測時間が前記第１基準時間に達した場合に、情報処理装置２００のユーザーが前記印刷物の回収を忘れていると判断して、前記通知先に前記印刷物が未回収である旨を報知する。
【００３６】
例えば、前記第１基準時間は、操作表示部６又は情報処理装置２００におけるユーザーの操作によって任意に定められる。例えば、前記第１基準時間は、情報処理装置２００のユーザーが情報処理装置２００の設置位置から画像形成装置１００の設置位置まで移動する際にかかる時間と、３０分などの任意の時間との合計時間に定められる。なお、前記第１基準時間は、通信ネットワーク２０１を介して画像形成装置１００に接続された情報処理装置２００ごとに定められてもよい。
【００３７】
例えば、報知処理部５４は、計測処理部５３による計測時間が前記第１基準時間に達した場合に、その計測時間に対応する前記印刷ジョブの送信元である情報処理装置２００に前記印刷物が未回収である旨を報知する。例えば、報知処理部５４は、前記印刷物が未回収である旨を含むメッセージの表示指示を情報処理装置２００に送信する。なお、前記通知先は、前記印刷ジョブの送信元である情報処理装置２００に対応付けられた電子メールアドレスなどであってもよい。
【００３８】
また、通信部９は、図３に示されるように、第２移行処理部９１を備える。例えば、第２移行処理部９１は、通信部９に設けられた集積回路（ＡＳＩＣ、ＤＳＰ）などの電子回路によって構成される。なお、通信部９は、ＣＰＵ、ＲＯＭ、及びＲＡＭなどの制御機器を備えており、それらの制御機器を用いて第２移行処理部９１として機能してもよい。
【００３９】
第２移行処理部９１は、前記動作モードが前記省電力モードである場合において、予め定められた第２移行条件を充足する場合に、前記動作モードを前記省電力モードから前記通常モードへ移行させる。
【００４０】
ここで、前記第２移行条件には、情報処理装置２００から送信される印刷ジョブを受信したことが含まれる。また、前記第２移行条件には、人感センサー１０による検出状態が前記非検出状態から前記検出状態に切り替わったことが含まれる。なお、前記第２移行条件は、以上に挙げた条件のいずれかを含むものであってもよく、以上に挙げた条件以外の条件を含むものであってもよい。
【００４１】
具体的に、第２移行処理部９１は、前記動作モードが前記省電力モードである場合において、前記第２移行条件を充足する場合に、前記給電停止対象について、給電部１１による給電を再開させる。例えば、第２移行処理部９１は、給電部１１に制御信号を入力して、前記給電停止対象への給電を再開させる。
【００４２】
ところで、画像形成装置１００では、前記省電力モード時における前記給電停止対象に制御部５が含まれている。そのため、画像形成装置１００では、前記印刷ジョブに基づく前記印刷物が回収される前に前記省電力モードへ移行した場合に、前記印刷物の未回収状態の継続時間を計測することができなくなる。これに対し、前記印刷物が回収される前に前記省電力モードへ移行した場合に、その後の前記通常モードへの移行時に前記印刷物の未回収を報知する構成が考えられる。
【００４３】
しかしながら、前記通常モードへの移行直後に前記印刷物の未回収が報知される場合には、前記印刷ジョブの終了時から前記省電力モードへの移行時までの期間と前記省電力モード中の期間との合計期間が前記第１基準時間よりも短い場合に、当該報知のタイミングが早くなりすぎることがある。前記印刷物未回収の報知タイミングが早くなりすぎると、ユーザーはその報知を煩わしいと感じることがある。これに対し、本発明の実施形態に係る画像形成装置１００では、以下に説明するように、前記印刷物が回収される前に前記省電力モードへ移行した場合であっても、前記印刷ジョブの終了時から前記印刷物未回収の報知時までの間に前記第１基準時間を超える間隔を設けることが可能である。
【００４４】
具体的に、制御部５は、図３に示されるように、停止処理部５５、再開処理部５６、取得処理部５７、判断処理部５８、及び表示処理部５９を更に含む。制御部５のＣＰＵ５Ａは、ＲＯＭ５Ｂに記憶された前記報知制御プログラムを実行する。これにより、制御部５は、停止処理部５５、再開処理部５６、取得処理部５７、判断処理部５８、及び表示処理部５９として機能する。
【００４５】
停止処理部５５は、画像形成装置１００の動作モードが前記通常モードから前記省電力モードへ移行する場合に、第１移行処理部５１によって制御部５への給電が停止される前に、計測処理部５３による前記経過時間の計測を停止させる。具体的に、停止処理部５５は、後に前記経過時間の計測を再開できるように、計測処理部５３による前記経過時間の計測を停止させる。
【００４６】
例えば、停止処理部５５は、計測処理部５３による前記経過時間の計測を停止させる際に、前記経過時間の計測が停止される前記印刷ジョブの識別情報、停止時までに計測処理部５３によって計測された前記経過時間、及び停止時の時刻を含む停止状況情報を生成する。そして、停止処理部５５は、生成された前記停止状況情報を記憶部７に格納する。
【００４７】
再開処理部５６は、画像形成装置１００の動作モードが前記省電力モードから前記通常モードへ移行する場合において、シート排出トレイ８１に前記印刷物が存在する場合に、計測処理部５３による前記経過時間の計測を再開させる。
【００４８】
具体的に、再開処理部５６は、画像形成装置１００の動作モードが前記省電力モードから前記通常モードへ移行する場合に、記憶部７に前記停止状況情報が格納されているか否かを判断する。
【００４９】
ここで、再開処理部５６は、記憶部７に前記停止状況情報が格納されていると判断すると、記憶部７に格納されている前記停止状況情報ごとに、当該停止状況情報に対応する前記印刷ジョブに基づく前記印刷物がシート排出トレイ８１に存在するか否かを判断する。具体的に、再開処理部５６は、前記印刷ジョブに含まれる情報によって排紙先として定められたシート排出トレイ８１に対応する検出部８２を用いて、前記印刷物がシート排出トレイ８１に存在するか否かを判断する。
【００５０】
そして、再開処理部５６は、前記印刷物がシート排出トレイ８１に存在すると判断された前記印刷ジョブについて、計測処理部５３による前記経過時間の計測を再開させる。具体的に、再開処理部５６は、前記停止状況情報に含まれる停止時までに計測された前記経過時間を用いて、計測処理部５３による前記経過時間の計測を再開させる。一方、再開処理部５６は、前記印刷物がシート排出トレイ８１に存在しないと判断された前記印刷ジョブについては、前記停止状況情報を記憶部７から消去する。
【００５１】
取得処理部５７は、再開処理部５６によって計測処理部５３による前記経過時間の計測が再開される場合に、停止処理部５５による前記経過時間の計測の停止時から再開処理部５６による前記経過時間の計測の再開時までの停止時間を取得する。
【００５２】
具体的に、取得処理部５７は、前記停止状況情報に含まれる停止時の時刻及び再開処理部５６による前記経過時間の計測の再開時の時刻に基づいて、前記停止時間を取得する。
【００５３】
取得処理部５７によって前記停止時間が取得されると、報知処理部５４は、取得処理部５７によって取得された前記停止時間が予め定められた第２基準時間を超過するか否かを判断する。そして、報知処理部５４は、前記停止時間が前記第２基準時間を超過すると判断した場合に、前記通知先に前記印刷物が未回収である旨を報知する。一方、報知処理部５４は、前記停止時間が前記第２基準時間を超過しないと判断した場合には、計測処理部５３による計測時間が前記第１基準時間に達するまで、前記通知先への報知を保留する。
【００５４】
例えば、前記第２基準時間は、前記第１基準時間から前記停止状況情報に含まれる停止時までに計測された前記経過時間を差し引いた時間である。なお、前記第２基準時間は、前記第１基準時間と同じ時間であってもよい。また、前記第２基準時間は、操作表示部６又は情報処理装置２００におけるユーザーの操作によって任意に定められてもよい。
【００５５】
なお、制御部５は、取得処理部５７を含んでいなくてもよい。この場合、報知処理部５４は、計測処理部５３による計測時間のみに基づいて、前記通知先への報知を行ってもよい。
【００５６】
判断処理部５８は、前記印刷ジョブに基づく前記印刷物が排出されたシート排出トレイ８１において、検出部８２によって前記印刷物が存在する存在状態から前記印刷物が存在しない不存在状態への切り替わりが検出された場合に、当該印刷ジョブに基づく前記印刷物が回収されたか否かを判断する。
【００５７】
例えば、判断処理部５８は、前記存在状態から前記不存在状態への切り替わりが検出されたシート排出トレイ８１における前記不存在状態の継続時間、及び前記印刷物が存在しない他のシート排出トレイ８１における前記不存在状態から前記存在状態への切り替わりの有無に基づいて、前記印刷物が回収されたか否かを判断する。
【００５８】
具体的に、判断処理部５８は、前記存在状態から前記不存在状態への切り替わりが検出されたシート排出トレイ８１における前記不存在状態の継続時間が予め定められた保留時間を超過し、且つその間に前記印刷物が存在しない他のシート排出トレイ８１において前記不存在状態から前記存在状態への切り替わりが検出されない場合に、前記印刷物が回収されたと判断する。一方、判断処理部５８は、前記存在状態から前記不存在状態への切り替わりが検出されたシート排出トレイ８１においてその切替わり時から前記保留時間が経過する前に前記存在状態が検出された場合は、前記印刷物が回収されていないと判断する。また、判断処理部５８は、前記保留時間が経過する前に前記印刷物が存在しない他のシート排出トレイ８１において前記不存在状態から前記存在状態への切り替わりが検出された場合は、前記印刷物が回収されていないと判断する。
【００５９】
ここで、前記保留時間は、予め定められた時間である。例えば、前記保留時間は、１０秒から１分の間で任意に定められる時間である。前記保留時間は、操作表示部６におけるユーザーの操作によって任意に定められてよい。
【００６０】
計測処理部５３は、判断処理部５８によって前記印刷ジョブに基づく前記印刷物がシート排出トレイ８１から回収されたと判断された場合に、当該印刷ジョブについて前記経過時間の計測を終了する。即ち、前記経過時間は、前記印刷ジョブの終了時から判断処理部５８によって前記印刷物がシート排出トレイ８１から回収されたと判断されるまでの時間である。また、計測処理部５３は、前記経過時間の計測を終了する前記印刷ジョブに対応する前記停止状況情報が記憶部７に格納されている場合は、当該停止状況情報を記憶部７から消去する。
【００６１】
なお、判断処理部５８は、前記存在状態から前記不存在状態への切り替わりが検出されたシート排出トレイ８１における前記不存在状態の継続時間のみに基づいて、前記印刷物が回収されたか否かを判断してもよい。具体的に、判断処理部５８は、前記存在状態から前記不存在状態への切り替わりが検出されたシート排出トレイ８１における前記不存在状態の継続時間が前記保留時間を超過した場合に、前記印刷物が回収されたと判断してもよい。また、判断処理部５８は、前記印刷ジョブに基づく前記印刷物が排出されたシート排出トレイ８１において、検出部８２によって前記存在状態から前記不存在状態への切り替わりが検出された場合に、直ちに前記印刷物が回収されたと判断してもよい。
【００６２】
表示処理部５９は、判断処理部５８によって前記印刷ジョブに基づく前記印刷物が回収されていないと判断された場合において、前記経過時間が計測されており且つ当該印刷ジョブと排紙先が共通する他の前記印刷ジョブが存在する場合に、選択画面Ｘ１０（図７参照）を操作表示部６に表示させる。ここで、選択画面Ｘ１０は、判断処理部５８によって前記印刷物が回収されていないと判断された前記印刷ジョブ及び前記経過時間が計測されており且つ当該印刷ジョブと排紙先が共通する他の前記印刷ジョブのうち、いずれか一つ又は複数の選択に用いられる画面である。ここに、操作表示部６が、本発明における表示部の一例である。
【００６３】
ここで、図７には、選択画面Ｘ１０の一例が示されている。選択画面Ｘ１０は、メッセージ欄Ｘ１１、印刷ジョブ表示欄Ｘ１２、及び操作キーＸ１３を含む。
【００６４】
メッセージ欄Ｘ１１には、ユーザーへのメッセージが表示される。前記メッセージには、前記印刷物が回収された前記印刷ジョブを選択する選択操作を促す内容が含まれる。
【００６５】
印刷ジョブ表示欄Ｘ１２には、計測処理部５３によって前記経過時間が計測されている前記印刷ジョブ各々の識別に用いられる番号と共に、当該印刷ジョブ各々を特定するための情報が列挙して表示される。具体的に、印刷ジョブ表示欄Ｘ１２には、前記印刷ジョブの送信元を示す情報、当該送信元に対応付けられたユーザーの名称を示す情報、及び前記印刷ジョブの実行開始時刻を示す情報が、前記印刷ジョブを特定するための情報として表示されている。なお、印刷ジョブ表示欄Ｘ１２に表示される前記印刷ジョブを特定するための情報は、以上に述べたものに限られず、印刷される文書の名称などの他の情報を含んでいてもよい。
【００６６】
印刷ジョブ表示欄Ｘ１２には、操作受付欄Ｘ１２１〜Ｘ１２３が含まれている。操作受付欄Ｘ１２１は１番の前記印刷ジョブに、操作受付欄Ｘ１２２は２番の前記印刷ジョブに、操作受付欄Ｘ１２３は３番の前記印刷ジョブに、それぞれ対応している。前記選択操作は、操作受付欄Ｘ１２１〜Ｘ１２３に対して行われる。例えば、前記選択操作は、操作受付欄Ｘ１２１〜Ｘ１２３のいずれか一つに対するタップ操作である。なお、図７に示された操作受付欄Ｘ１２１には、操作受付欄Ｘ１２１に対して前記選択操作が行われたことを示すチェック記号が付されている。
【００６７】
操作キーＸ１３は、選択画面Ｘ１０における操作内容の確定に用いられる。
【００６８】
計測処理部５３は、選択画面Ｘ１０で一又は複数の前記印刷ジョブが選択された場合に、選択された前記印刷ジョブについて前記経過時間の計測を終了する。
【００６９】
なお、表示処理部５９は、選択画面Ｘ１０を表示させる際に、ユーザーに選択画面Ｘ１０の表示を気付かせるために、警告音の鳴動又は音声による案内を行ってもよい。また、制御部５は、表示処理部５９を含んでいなくてもよい。
【００７０】
［第１報知制御処理］
以下、図４を参照しつつ、画像形成装置１００において制御部５により実行される第１報知制御処理の手順の一例とともに、本発明に係る報知方法の手順の一例について説明する。ここで、ステップＳ１１、Ｓ１２・・・は、制御部５により実行される処理手順（ステップ）の番号を表している。また、前記第１報知制御処理は、情報処理装置２００から送信された前記印刷ジョブが実行される度に、その印刷ジョブに対応する処理として実行される。
【００７１】
＜ステップＳ１１＞
まず、ステップＳ１１において、制御部５は、前記印刷ジョブが終了したか否かを判断する。
【００７２】
ここで、制御部５は、前記印刷ジョブが終了したと判断すると（Ｓ１１のＹｅｓ側）、処理をステップＳ１２に移行させる。また、前記印刷ジョブが終了していなければ（Ｓ１１のＮｏ側）、制御部５は、ステップＳ１１で前記印刷ジョブの終了を待ち受ける。
【００７３】
＜ステップＳ１２＞
ステップＳ１２において、制御部５は、前記印刷ジョブについて前記経過時間を計測する。なお、ステップＳ１３以降の処理は、ステップＳ１２の処理と並行して実行される。ここで、ステップＳ１２の処理は、制御部５の計測処理部５３により実行される。
【００７４】
＜ステップＳ１３＞
ステップＳ１３において、制御部５は、前記第１移行条件を充足したか否かを判断する。
【００７５】
ここで、制御部５は、前記第１移行条件を充足したと判断すると（Ｓ１３のＹｅｓ側）、処理をステップＳ１３１に移行させる。また、前記第１移行条件を充足していなければ（Ｓ１３のＮｏ側）、制御部５は、処理をステップＳ１４に移行させる。
【００７６】
＜ステップＳ１３１＞
ステップＳ１３１において、制御部５は、ステップＳ１２における前記経過時間の計測を停止させる。ここで、ステップＳ１３１の処理は、制御部５の停止処理部５５により実行される。
【００７７】
例えば、制御部５は、ステップＳ１２における前記経過時間の計測を停止させる際に、前記経過時間の計測が停止される前記印刷ジョブの識別情報、停止時までに計測処理部５３によって計測された前記経過時間、及び停止時の時刻を含む停止状況情報を生成する。そして、制御部５は、生成された前記停止状況情報を記憶部７に格納する。
【００７８】
＜ステップＳ１３２＞
ステップＳ１３２において、制御部５は、画像形成装置１００の動作モードを前記通常モードから前記省電力モードへ移行させる。ここで、ステップＳ１３２の処理は、制御部５の第１移行処理部５１により実行される。
【００７９】
＜ステップＳ１４＞
ステップＳ１４において、制御部５は、ステップＳ１２で計測されている前記経過時間が前記第１基準時間に到達したか否かを判断する。
【００８０】
ここで、制御部５は、ステップＳ１２で計測されている前記経過時間が前記第１基準時間に到達したと判断すると（Ｓ１４のＹｅｓ側）、処理をステップＳ１４１に移行させる。また、ステップＳ１２で計測されている前記経過時間が前記第１基準時間に到達していなければ（Ｓ１４のＮｏ側）、制御部５は、処理をステップＳ１５に移行させる。
【００８１】
＜ステップＳ１４１＞
ステップＳ１４１において、制御部５は、前記印刷ジョブに基づく前記印刷物の未回収を報知する。ここで、ステップＳ１４１の処理は、制御部５の報知処理部５４により実行される。
【００８２】
＜ステップＳ１５＞
ステップＳ１５において、制御部５は、前記印刷ジョブに基づく前記印刷物が排出されたシート排出トレイ８１において、検出部８２によって前記存在状態から前記不存在状態への切り替わりが検出されたか否かを判断する。
【００８３】
ここで、制御部５は、前記存在状態から前記不存在状態への切り替わりが検出されたと判断すると（Ｓ１５のＹｅｓ側）、処理をステップＳ１６に移行させる。また、前記存在状態から前記不存在状態への切り替わりが検出されていなければ（Ｓ１５のＮｏ側）、制御部５は、処理をステップＳ１３に移行させる。
【００８４】
＜ステップＳ１６＞
ステップＳ１６において、制御部５は、後段で説明する回収判定処理を実行する。
【００８５】
＜ステップＳ１７＞
ステップＳ１７において、制御部５は、ステップＳ１６で実行された前記回収判定処理において前記印刷物が回収されたと判定されたか否かを判断する。
【００８６】
ここで、制御部５は、前記回収判定処理において前記印刷物が回収されたと判定されたと判断すると（Ｓ１７のＹｅｓ側）、処理をステップＳ２１に移行させる。また、前記回収判定処理において前記印刷物が回収されたと判定されていなければ（Ｓ１７のＮｏ側）、制御部５は、処理をステップＳ１８に移行させる。
【００８７】
＜ステップＳ１８＞
ステップＳ１８において、制御部５は、前記印刷ジョブと排紙先が共通であって、前記経過時間が計測されている他の前記印刷ジョブが存在するか否かを判断する。
【００８８】
ここで、制御部５は、他の前記印刷ジョブが存在すると判断すると（Ｓ１８のＹｅｓ側）、処理をステップＳ１９に移行させる。また、他の前記印刷ジョブが存在しなければ（Ｓ１８のＮｏ側）、制御部５は、処理をステップＳ１３に移行させる。
【００８９】
＜ステップＳ１９＞
ステップＳ１９において、制御部５は、選択画面Ｘ１０を操作表示部６に表示させる。ここで、ステップＳ１９の処理は、制御部５の表示処理部５９により実行される。
【００９０】
これにより、ユーザーは、シート排出トレイ８１に排出されていた複数の前記印刷物から当該ユーザーが回収した前記印刷物を選択画面Ｘ１０で選択して、回収された前記印刷物に対応する前記通知先への未回収の報知を回避することが可能である。
【００９１】
＜ステップＳ２０＞
ステップＳ２０において、制御部５は、ステップＳ１９で表示された選択画面Ｘ１０において、前記印刷ジョブ（実行中の前記第１報知制御処理に対応する前記印刷ジョブ）が選択されたか否かを判断する。
【００９２】
ここで、制御部５は、選択画面Ｘ１０において前記印刷ジョブが選択されたと判断すると（Ｓ２０のＹｅｓ側）、処理をステップＳ２１に移行させる。また、選択画面Ｘ１０において前記印刷ジョブが選択されていなければ（Ｓ２０のＮｏ側）、制御部５は、処理をステップＳ１３に移行させる。
【００９３】
なお、制御部５は、選択画面Ｘ１０の表示後、所定時間が経過しても前記選択操作が行われない場合に、選択画面Ｘ１０の表示を終了させて、処理をステップＳ１３に移行させてもよい。
【００９４】
＜ステップＳ２１＞
ステップＳ２１において、制御部５は、ステップＳ１２における前記経過時間の計測を終了させる。ここで、ステップＳ２１の処理は、制御部５の計測処理部５３により実行される。
【００９５】
なお、前記第１報知制御処理は、ステップＳ１８〜ステップＳ２０の処理を含んでいなくてもよい。この場合、制御部５は、ステップＳ１７で前記回収判定処理において前記印刷物が回収されていないと判定されたと判断した場合に、処理をステップＳ１３に移行させてよい。
【００９６】
また、前記第１報知制御処理は、ステップＳ１６〜ステップＳ２０の処理を含んでいなくてもよい。この場合、制御部５は、ステップＳ１５で前記存在状態から前記不存在状態への切り替わりが検出されたと判断した場合に、前記印刷物が回収されたと判断して、処理をステップＳ２１に移行させてよい。
【００９７】
［回収判定処理］
次に、図５を参照しつつ、前記第１報知制御処理のステップＳ１６で実行される回収判定処理の手順の一例について説明する。ここで、前記回収判定処理は、制御部５の判断処理部５８により実行される。
【００９８】
＜ステップＳ３１＞
まず、ステップＳ３１において、制御部５は、前記印刷物が存在しないシート排出トレイ８１のいずれかにおいて前記不存在状態から前記存在状態への切り替わりが検出されたか否かを判断する。
【００９９】
ここで、制御部５は、前記印刷物が存在しないシート排出トレイ８１のいずれかにおいて前記不存在状態から前記存在状態への切り替わりが検出されたと判断すると（Ｓ３１のＹｅｓ側）、処理をステップＳ３１１に移行させる。また、制御部５は、前記印刷物が存在しないシート排出トレイ８１のいずれにおいても前記不存在状態から前記存在状態への切り替わりが検出されていなければ（Ｓ３１のＮｏ側）、制御部５は、処理をステップＳ３２に移行させる。
【０１００】
＜ステップＳ３２＞
ステップＳ３２において、制御部５は、前記回収判定処理の開始時から前記保留時間が経過したか否かを判断する。
【０１０１】
ここで、制御部５は、前記回収判定処理の開始時から前記保留時間が経過したと判断すると（Ｓ３２のＹｅｓ側）、処理をステップＳ３３に移行させる。また、前記回収判定処理の開始時から前記保留時間が経過していなければ（Ｓ３２のＮｏ側）、制御部５は、処理をステップＳ３１に移行させる。
【０１０２】
＜ステップＳ３３＞
ステップＳ３３において、制御部５は、前記印刷ジョブに基づく前記印刷物が回収されたと判定する。
【０１０３】
＜ステップＳ３１１＞
ステップＳ３１１において、制御部５は、前記印刷ジョブに基づく前記印刷物が回収されていないと判定する。
【０１０４】
このように、前記回収判定処理では、前記印刷ジョブに基づく前記印刷物が排出されたシート排出トレイ８１において前記存在状態から前記不存在状態への切り替わりが検出された場合であっても、前記保留時間が経過する前に前記存在状態が検出された場合には、当該印刷物は回収されていないと判定される。これにより、例えば、画像形成装置１００のユーザーが誤って自分とは異なるユーザーの前記印刷物をシート排出トレイ８１から取り出して、その後誤りに気付いて当該印刷物を元のシート排出トレイ８１に戻した場合に、当該印刷物が回収されたと判定されることを回避可能である。
【０１０５】
また、前記回収判定処理では、前記印刷ジョブに基づく前記印刷物が排出されたシート排出トレイ８１において前記存在状態から前記不存在状態への切り替わりが検出された場合であっても、前記保留時間が経過する前に他のシート排出トレイ８１で前記存在状態が検出された場合には、当該印刷物は回収されていないと判定される。これにより、例えば、画像形成装置１００のユーザーが誤って自分とは異なるユーザーの前記印刷物をシート排出トレイ８１から取り出して、その後誤りに気付いて当該印刷物を別のシート排出トレイ８１に戻した場合に、当該印刷物が回収されたと判定されることを回避可能である。
【０１０６】
［第２報知制御処理］
次に、図６を参照しつつ、画像形成装置１００において制御部５により実行される第２報知制御処理の手順の一例とともに、本発明に係る報知方法の手順の一例について説明する。ここで、前記第２報知制御処理は、前記第１報知制御処理のステップＳ１３１の処理が実行された後、画像形成装置１００の動作モードが前記省電力モードから前記通常モードへ移行された場合に実行される。
【０１０７】
なお、制御部５は、前記動作モードが前記通常モードへ移行された場合に、記憶部７に前記停止状況情報が格納されているか否かに基づいて、ステップＳ１３１の処理の実行後に前記動作モードが前記通常モードへ移行したか否かを判断する。また、制御部５は、記憶部７に格納されている前記停止状況情報に対応する前記印刷ジョブごとに、前記第２報知制御処理を実行する。
【０１０８】
＜ステップＳ４１＞
まず、ステップＳ４１において、制御部５は、前記印刷ジョブに基づく前記印刷物が排出されたシート排出トレイ８１において前記印刷物が存在するか否かを判断する。
【０１０９】
ここで、制御部５は、シート排出トレイ８１に前記印刷物が存在すると判断すると（Ｓ４１のＹｅｓ側）、処理をステップＳ４２に移行させる。また、シート排出トレイ８１に前記印刷物が存在していなければ（Ｓ４１のＮｏ側）、制御部５は、処理をステップＳ５２に移行させる。
【０１１０】
＜ステップＳ４２＞
ステップＳ４２において、制御部５は、前記第１報知制御処理のステップＳ１３１の実行時から現在までの時間である前記停止時間を取得する。ここで、ステップＳ４２の処理は、制御部５の取得処理部５７により実行される。
【０１１１】
＜ステップＳ４３＞
ステップＳ４３において、制御部５は、ステップＳ４２で取得された前記停止時間が前記第２基準時間を超過しているか否かを判断する。
【０１１２】
ここで、制御部５は、前記停止時間が前記第２基準時間を超過していると判断すると（Ｓ４３のＹｅｓ側）、処理をステップＳ４３１に移行させる。また、前記停止時間が前記第２基準時間を超過していなければ（Ｓ４３のＮｏ側）、制御部５は、処理をステップＳ４４に移行させる。
【０１１３】
これにより、計測処理部５３による計測時間のみに基づいて前記通知先への報知を行う構成と比較して、前記省電力モードの期間が長期間に及ぶ場合に前記印刷物未回収の報知が遅れることを抑制可能である。
【０１１４】
＜ステップＳ４３１＞
ステップＳ４３１において、制御部５は、前記第１報知制御処理のステップＳ１４１と同様に、前記印刷ジョブに基づく前記印刷物の未回収を報知する。
【０１１５】
＜ステップＳ４４＞
ステップＳ４４において、制御部５は、前記第１報知制御処理のステップＳ１３１で停止された前記経過時間の計測を再開させる。ここで、ステップＳ４４の処理は、制御部５の再開処理部５６により実行される。
【０１１６】
＜ステップＳ４５＞
ステップＳ４５において、制御部５は、前記第１報知制御処理のステップＳ１４と同様に、計測されている前記経過時間が前記第１基準時間に到達したか否かを判断する。
【０１１７】
ここで、制御部５は、計測されている前記経過時間が前記第１基準時間に到達したと判断すると（Ｓ４５のＹｅｓ側）、処理をステップＳ４３１に移行させる。また、計測されている前記経過時間が前記第１基準時間に到達していなければ（Ｓ４５のＮｏ側）、制御部５は、処理をステップＳ４６に移行させる。
【０１１８】
＜ステップＳ４６＞
ステップＳ４６において、制御部５は、前記第１報知制御処理のステップＳ１５と同様に、前記印刷ジョブに基づく前記印刷物が排出されたシート排出トレイ８１において、検出部８２によって前記存在状態から前記不存在状態への切り替わりが検出されたか否かを判断する。
【０１１９】
ここで、制御部５は、前記存在状態から前記不存在状態への切り替わりが検出されたと判断すると（Ｓ４６のＹｅｓ側）、処理をステップＳ４７に移行させる。また、前記存在状態から前記不存在状態への切り替わりが検出されていなければ（Ｓ４６のＮｏ側）、制御部５は、処理をステップＳ４５に移行させる。
【０１２０】
＜ステップＳ４７＞
ステップＳ４７において、制御部５は、前記回収判定処理を実行する。なお、ステップＳ４７で実行される前記回収判定処理は、前記第１報知制御処理のステップＳ１６で実行される前記回収判定処理と同じ処理である。
【０１２１】
＜ステップＳ４８＞
ステップＳ４８において、制御部５は、前記第１報知制御処理のステップＳ１７と同様に、ステップＳ４７で実行された前記回収判定処理において前記印刷物が回収されたと判定されたか否かを判断する。
【０１２２】
ここで、制御部５は、前記回収判定処理において前記印刷物が回収されたと判定されたと判断すると（Ｓ４８のＹｅｓ側）、処理をステップＳ５２に移行させる。また、前記回収判定処理において前記印刷物が回収されたと判定されていなければ（Ｓ４８のＮｏ側）、制御部５は、処理をステップＳ４９に移行させる。
【０１２３】
＜ステップＳ４９＞
ステップＳ４９において、制御部５は、前記第１報知制御処理のステップＳ１８と同様に、前記印刷ジョブと排紙先が共通であって、前記経過時間が計測されている他の前記印刷ジョブが存在するか否かを判断する。
【０１２４】
ここで、制御部５は、他の前記印刷ジョブが存在すると判断すると（Ｓ４９のＹｅｓ側）、処理をステップＳ５０に移行させる。また、他の前記印刷ジョブが存在しなければ（Ｓ４９のＮｏ側）、制御部５は、処理をステップＳ４５に移行させる。
【０１２５】
＜ステップＳ５０＞
ステップＳ５０において、制御部５は、前記第１報知制御処理のステップＳ１９と同様に、選択画面Ｘ１０を操作表示部６に表示させる。
【０１２６】
＜ステップＳ５１＞
ステップＳ５１において、制御部５は、前記第１報知制御処理のステップＳ２０と同様に、ステップＳ５０で表示された選択画面Ｘ１０において、前記印刷ジョブ（実行中の前記第２報知制御処理に対応する前記印刷ジョブ）が選択されたか否かを判断する。
【０１２７】
ここで、制御部５は、選択画面Ｘ１０において前記印刷ジョブが選択されたと判断すると（Ｓ５１のＹｅｓ側）、処理をステップＳ５２に移行させる。また、選択画面Ｘ１０において前記印刷ジョブが選択されていなければ（Ｓ５１のＮｏ側）、制御部５は、処理をステップＳ４５に移行させる。
【０１２８】
＜ステップＳ５２＞
ステップＳ５２において、制御部５は、前記経過時間の計測を終了させる。また、制御部５は、前記印刷ジョブに対応する前記停止状況情報を記憶部７から消去する。ここで、ステップＳ５２の処理は、制御部５の計測処理部５３により実行される。
【０１２９】
なお、前記第２報知制御処理は、ステップＳ４９〜ステップＳ５１の処理を含んでいなくてもよい。この場合、制御部５は、ステップＳ４８で前記回収判定処理において前記印刷物が回収されていないと判定されたと判断した場合に、処理をステップＳ４５に移行させてよい。
【０１３０】
また、前記第２報知制御処理は、ステップＳ４７〜ステップＳ５１の処理を含んでいなくてもよい。この場合、制御部５は、ステップＳ４６で前記存在状態から前記不存在状態への切り替わりが検出されたと判断した場合に、前記印刷物が回収されたと判断して、処理をステップＳ５２に移行させてよい。
【０１３１】
このように、画像形成装置１００では、前記印刷ジョブの終了時から当該印刷ジョブに基づく前記印刷物が回収されるまでの前記経過時間の計測中に動作モードが前記省電力モードに移行する場合に、制御部５への給電が停止される前に前記経過時間の計測が停止される。そして、前記通常モードへ移行した場合に前記経過時間の計測が再開されて、計測時間が前記第１基準時間に到達した場合に、前記印刷物の未回収が報知される。従って、前記印刷物が回収される前に前記省電力モードへ移行した場合であっても、前記印刷ジョブの終了時から前記印刷物未回収の報知時までの間に前記第１基準時間を超える間隔を設けることが可能である。
【０１３２】
なお、画像形成装置１００は、シート排出装置８を備えていなくてもよい。この場合、前記印刷ジョブに基づく前記印刷物は、画像形成部３の前記排紙トレイに排出されてよい。また、前記排紙トレイに、検出部８２と同様のセンサーが設けられてよい。
【符号の説明】
【０１３３】
１      ＡＤＦ
２      画像読取部
３      画像形成部
４      給紙部
５      制御部
６      操作表示部
７      記憶部
８      シート排出装置
９      通信部
１０    人感センサー
１１    給電部
５１    第１移行処理部
５２    印刷処理部
５３    計測処理部
５４    報知処理部
５５    停止処理部
５６    再開処理部
５７    取得処理部
５８    判断処理部
５９    表示処理部
８１    シート排出トレイ
８２    検出部
９１    第２移行処理部
１００  画像形成装置
２００  情報処理装置
２０１  通信ネットワーク
【図１】
2019188724.tif 000003
【図２】
2019188724.tif 000004
【図３】
2019188724.tif 000005
【図４】
2019188724.tif 000006
【図５】
2019188724.tif 000007
【図６】
2019188724.tif 000008
【図７】
2019188724.tif 000009